(57)【要約】基準色に基づいてハーモナイズする色を計算するシステムおよび方法。第１の実施形態において、本発明は、（ａ）一様な色空間において基準色を定義すること、（ｂ）基準色の色相を、一様な色空間から美術家用色環へ変換すること、（ｃ）美術家用色環内でハーモナイズする色を決定すること、（ｄ）ハーモナイズする色の色相を、美術家用色環から一様な色空間に変換すること、（ｅ）ハーモナイズする色情報を表示することを含む。第２の実施形態において、ブラウン領域は、レッド／オレンジ／イエロー色相と低彩度値を有する色に対して定義される。別のハーモナイズする色は、基準色かハーモナイズする色の１つのいずれかがブラウン領域内にある時に決定される。
2005503594.tif 000002
【特許請求の範囲】
【請求項１】
ハーモナイズする色を計算する方法であって、
一様な色空間において基準色を識別すること、
前記基準色の色相（ｈｕｅ）を、前記一様な色空間から美術家用色環（ｃｏｌｏｒ  ｗｈｅｅｌ）へ変換すること、
前記美術家用色環上で少なくとも１つのハーモナイズする色を計算すること、
前記少なくとも１つのハーモナイズする色の前記色相を、前記美術家用色環から前記一様な色空間に変換すること、
前記ハーモナイズする色を指示する情報を表示することを含む方法。
【請求項２】
ハーモナイズする色を計算する方法であって、
第１の色空間において基準色を定義すること、
前記基準色を、前記第１の色空間から、人の目の非線形色相鋭度（ｎｏｎ−ｌｉｎｅａｒ  ｈｕｅ  ａｃｕｉｔｙ）により近く対応している第２の色空間に変換すること、
前記基準色に基づいて、前記第２の色空間内でハーモナイズする色を計算すること、
前記ハーモナイズする色を前記第２の色空間から前記第１の色空間に変換することを含む方法。
【請求項３】
前記第２の色空間は美術家用色環である、請求項２に記載の方法。
【請求項４】
前記計算するステップは、複数のハーモナイズする色を計算することを含む、請求項２に記載の方法。
【請求項５】
ハーモナイズする色を計算する方法であって、
第１の色相角度を有する第１の色空間内で基準色を定義すること、
前記基準色を前記第１の色空間から第２の色相角度を有する第２の色空間に変換することであって、該第２の色相角度は、対応する該第１の色相角度とは概して異なっている、該変換すること、
前記第２の色空間において、前記基準色の第２の色相角度の関数としてハーモナイズする色を計算すること、
前記ハーモナイズする色を前記第２の色空間から前記第１の色空間に変換することを含む方法。
【請求項６】
前記第２の色空間は、美術家用色環である、請求項５に記載の方法。
【請求項７】
前記計算するステップは、複数のハーモナイズする色を計算することを含む、請求項５に記載の方法。
【請求項８】
ハーモナイズする色を計算する方法であって、
色空間内でブラウン領域を定義すること、
基準色が前記ブラウン領域内にあるかどうかを判断すること、および、
前記基準色が前記ブラウン領域内にある場合、前記基準色と同じ色相および前記ブラウン領域外の彩度（ｃｈｒｏｍａ）を有するハーモナイズする色を計算することを含む方法。
【請求項９】
前記ブラウン領域は、ブラウン色相値およびブラウン彩度値によって境界付けされる、請求項８に記載の方法。
【請求項１０】
ハーモナイズする色を計算する方法であって、
色相角度境界および彩度値境界によって定義される前記ブラウン領域を色空間内で定義すること、
基準色が、前記色相角度境界の間にあり、前記彩度値境界の外にあるかどうかを判断すること、および、
前記基準色が上記の基準を満たす場合、前記基準色と同じ色相および前記彩度値境界内の彩度値を有するハーモナイズする色を計算することを含む方法。
【請求項１１】
前記色空間は、レッドが０度である美術家用色環であり、
前記ブラウン角度境界は、約３０度と約１２０度であり、
前記彩度値境界は約４度と４０度である、請求項１０に記載の方法。
【請求項１２】
ハーモナイズする色を計算する方法であって、
ブラウン色相角度およびブラウン彩度値によって境界付けられるブラウン領域を色空間内で定義すること、
基準色を前記色空間内で識別すること、
前記色空間内で前記基準色の関数として第１のハーモナイズする色を計算すること、
前記第１のハーモナイズする色が前記ブラウン色相値内にあるかどうかを判断すること、
前記第１のハーモナイズする色が前記ブラウン彩度値内にあるかどうかを判断すること、
前記ブラウン領域内にある第１のハーモナイズする色のそれぞれに対して、前記第１のハーモナイズする色と同じ色相を有し、かつ前記ブラウン領域の外の彩度値を有する第２のハーモナイズする色を計算すること、
前記ブラウン色相角度の間にあるが、前記ブラウン彩度値の外にある色のそれぞれに対して、前記第１のハーモナイズする色と同じ色相を有し、かつ前記ブラウン領域内の彩度値を有する第２のハーモナイズする色を計算することを含む方法。
【請求項１３】
前記色空間は、レッドが０度である前記美術家用色環であり、
前記ブラウン角度境界は、約３０度と約１２０度であり、
前記彩度値境界は、約４度と４０度である、請求項１２に記載の方法。
【請求項１４】
ハーモナイズする色を得る方法であって、
ユーザが選択した基準色を受け取るステップと、
一様な色空間において、色相、彩度および明度値に従って前記色を定義するステップと、
一様な色空間における色相値を美術家用色環上の色相値に変換するステップと、
一般的な色ハーモナイザーション計画に従って前記基準色に対してハーモナイズする色を生成して、前記美術家用色環上で、色相、彩度および明度に従って前記ハーモナイズする色を定義するステップと、
前記ハーモナイズする色の前記色相角度を一様な色空間の色相角度に変換するステップを含む方法。
【請求項１５】
無彩計画、類似計画、クラッシュ計画、相補計画、単色色彩計画、中性計画、スプリット相補計画および三つ組み計画を含む色ハーモナイゼーション計画のリストから、ユーザが選択した色ハーモナイゼーション計画を受け取ることをさらに含む、請求項１４に記載の方法。
【請求項１６】
前記ハーモナイズする色の前記色相、彩度および明度の値を調整することをさらに含む、請求項１４に記載の方法。
【請求項１７】
生成されたハーモナイズする色の前記リストからユーザが選択したハーモナイズする色を受け取ることによって、ハーモナイズする色の数を減らすことをさらに含む、請求項１５に記載の方法。
【請求項１８】
ハーモナイズする色の前記数は２に減らされる、請求項１４に記載の方法。
【請求項１９】
前記２つのハーモナイズする色および前記基準色を、ユーザの選択に従ってボディ（ｂｏｄｙ）色、トリム（ｔｒｉｍ）色およびアクセント（ａｃｃｅｎｔ）色として定義することをさらに含む、請求項１８に記載の方法。
【請求項２０】
Ｈ１〜Ｈ２の色相範囲およびｃ１〜ｃ２の彩度範囲を有する前記美術家用色環上でブラウン領域を定義するステップと、
前記基準色が前記色相範囲内にあり、かつ前記彩度範囲外にあるかどうかを判断するステップと、
前記基準色が前記色相範囲内にあり、かつ前記彩度範囲外にある場合、前記規準色と同じ色相で、前記彩度範囲内の彩度によって第２のハーモナイズする色を生成するステップをさらに含む、請求項１４に記載の方法。
【請求項２１】
Ｈ１〜Ｈ２の色相範囲およびｃ１〜ｃ２の彩度範囲を有する前記美術家用色環上でブラウン範囲を定義するステップと、
前記基準色が前記色相範囲内で、かつ前記彩度範囲内であるかどうかを判断するステップと、
前記基準色が前記色相範囲内で、かつ前記彩度範囲外である場合、前記基準色と同じ色相で、前記彩度範囲外の彩度によって第２のハーモナイズする色を生成するステップをさらに含む、請求項１４に記載の方法。
【請求項２２】
Ｈ１〜Ｈ２の色相範囲およびｃ１〜ｃ２の彩度範囲を有する前記美術家用色環上でブラウン範囲を定義するステップと、
ハーモナイズする色が前記色相範囲内で、かつ前記彩度範囲外であるかどうかを判断するステップと、
前記ハーモナイズする色が前記色相範囲内で、かつ前記彩度範囲外である場合、前記ハーモナイズする色と同じ色相で、前記彩度範囲内の彩度によって第２のハーモナイズする色を生成するステップをさらに含む、請求項１４に記載の方法。
【請求項２３】
Ｈ１〜Ｈ２の色相範囲およびｃ１〜ｃ２の彩度範囲を有する前記美術家用色環上でブラウン範囲を定義するステップと、
ハーモナイズする色が前記色相範囲内で、かつ前記彩度範囲内であるかどうかを判断するステップと、
前記ハーモナイズする色が前記色相範囲内で、かつ前記彩度範囲内である場合、前記ハーモナイズする色と同じ色相で、前記彩度範囲外の彩度によって第２のハーモナイズする色を生成するステップをさらに含む、請求項１４に記載の方法。
【請求項２４】
Ｈ１〜Ｈ２の色相範囲およびｃ１〜ｃ２の彩度範囲を有する前記美術家用色環上でブラウン範囲を定義するステップと、
前記基準色またはハーモナイズする色が前記色相範囲内であるかどうかを判断するステップと、
基準色またはハーモナイズする色が前記色相範囲内で、かつ前記彩度範囲外である場合、前記基準色またはハーモナイズする色と同じ色相で、前記彩度範囲内で第２のハーモナイズする色を生成するステップと、
基準色またはハーモナイズする色が前記色相範囲内で、かつ前記彩度範囲内である場合、前記彩度範囲外で第２のハーモナイズする色を生成するステップをさらに含む、請求項１４に記載の方法。
【請求項２５】
ハーモナイズする塗料（ｐａｉｎｔ）の色を作るために、色を選択するための入力手段、色の座標を計算し、記憶するための記憶手段、ＧＵＩおよび混合（ｍｉｘｉｎｇ）装置を備える機械を動作させる方法であって、
ユーザが選択した基準色を受け取るステップと、
一様な色空間において、色相、明度および彩度値に従って定義されている前記基準色を、前記ＧＵＩ上に表示するステップと、
ユーザが選択した色ハーモナイゼーション計画を受け取るステップと、
一様な色空間における前記基準色の前記色相を前記美術家用色環上の色相値に変換するステップと、
選択された前記色ハーモナイゼーション計画に従って、前記基準色に対してハーモナイズする色を生成するステップであって、該ハーモナイズする色は前記美術家用色環において色相、明度および彩度値に従って定義されている、該生成するステップと、
前記ハーモナイズする色を前記ＧＵＩ上で表示するステップと、
前記美術家用色環上の前記ハーモナイズする色の前記色相値を一様な色空間における色相値に変換するステップを含む方法。
【請求項２６】
前記ハーモナイズする色の前記色相、彩度および明度値に対するユーザの調整を受け取ることをさらに含む、請求項２５に記載の方法。
【請求項２７】
生成されたハーモナイズする色の前記リストから、ユーザが選択したハーモナイズする色を受け取ることによって、ハーモナイズする色の数を減らすことをさらに含む、請求項２５に記載の方法。
【請求項２８】
ハーモナイズする色の前記数は２に減らされる、請求項２５に記載の方法。
【請求項２９】
ユーザの選択に従って、前記２つのハーモナイズする色および前記基準色を、ボディ色、トリム色およびアクセント色として定義することをさらに含む、請求項２８に記載の方法。
【請求項３０】
Ｈ１〜Ｈ２の色相範囲およびｃ１〜ｃ２の彩度範囲を有する前記美術家用色環上でブラウン範囲を定義するステップと、
前記基準色が前記色相範囲内にあり、かつ前記彩度範囲外にあるかどうかを判断するステップと、
前記基準色が前記色相範囲内にあり、かつ前記彩度範囲外にある場合、前記基準色と同じ色相で、前記彩度範囲内の彩度によって第２のハーモナイズする色を生成するステップをさらに含む、請求項２５に記載の方法。
【請求項３１】
Ｈ１〜Ｈ２の色相範囲およびｃ１〜ｃ２の彩度範囲を有する前記美術家用色環上でブラウン範囲を定義するステップと、
前記基準色が前記色相範囲内で、かつ前記彩度範囲内であるかどうかを判断するステップと、
前記基準色が前記色相範囲内で、かつ前記彩度範囲外である場合、前記基準色と同じ色相で、前記彩度範囲外の彩度によって第２のハーモナイズする色を生成するステップをさらに含む、請求項２５に記載の方法。
【請求項３２】
Ｈ１〜Ｈ２の色相範囲およびｃ１〜ｃ２の彩度範囲を有する前記美術家用色環上でブラウン範囲を定義するステップと、
ハーモナイズする色が前記色相範囲内で、かつ前記彩度範囲外であるかどうかを判断するステップと、
前記ハーモナイズする色が前記色相範囲内で、かつ前記彩度範囲外である場合、前記ハーモナイズする色と同じ色相で、前記彩度範囲内の彩度によって第２のハーモナイズする色を生成するステップをさらに含む、請求項２５に記載の方法。
【請求項３３】
Ｈ１〜Ｈ２の色相範囲およびｃ１〜ｃ２の彩度範囲を有する前記美術家用色環上でブラウン範囲を定義するステップと、
ハーモナイズする色が前記色相範囲内で、かつ前記彩度範囲内であるかどうかを判断するステップと、
前記ハーモナイズする色が前記色相範囲内で、かつ前記彩度範囲内である場合、前記ハーモナイズする色と同じ色相で、前記彩度範囲外の彩度によって第２のハーモナイズする色を生成するステップをさらに含む、請求項２５に記載の方法。
【請求項３４】
Ｈ１〜Ｈ２の色相範囲およびｃ１〜ｃ２の彩度範囲を有する前記美術家用色環上でブラウン範囲を定義するステップと、
前記基準色またはハーモナイズする色が前記色相範囲内であるかどうかを判断するステップと、
基準色またはハーモナイズする色が前記色相範囲内で、かつ前記彩度範囲外である場合、前記基準色またはハーモナイズする色と同じ色相で、前記彩度範囲内で第２のハーモナイズする色を生成するステップと、
基準色またはハーモナイズする色が前記色相範囲内で、かつ前記彩度範囲内である場合、前記彩度範囲外で第２のハーモナイズする色を生成するステップをさらに含む、請求項２５に記載の方法。
【請求項３５】
建物の内部または外部に適用されようとしている、前記色彩計画の適用に関するユーザの選択を受け取るステップと、
前記ユーザが、色が建物の内部に表示されるように選択する場合、前記ＧＵＩ上で、前記選択された色が部屋に適用されることを表示するステップと、
前記ユーザが、色が建物の外部に表示されるように選択する場合、前記ＧＵＩ上で、前記選択された色が家の外部に適用されることを表示するステップをさらに含む、請求項２５に記載の方法。
【請求項３６】
前記基準色およびハーモナイズする色のそれぞれに対して、塗料（ｐａｉｎｔ）製品を選択することをさらに含む、請求項２５に記載の方法。
【請求項３７】
前記ハーモナイズする色用の塗料の配合表を計算することをさらに含む、請求項２５に記載の方法。
【請求項３８】
前記塗料の配合表に従って塗料を混合することをさらに含む、請求項３７に記載の方法。
【発明の詳細な説明】
【０００１】
［発明の背景］
本発明は、ハーモナイズする色を選択するシステムおよび方法に関し、より詳細には、コンピュータで自動化されたこうしたシステムおよび方法に関する。
【０００２】
仮でない本出願は、「Ｍｅｔｈｏｄ ｏｆ Ｈａｒｍｏｎｉｚｉｎｇ ｃｏｌｏｒｓ」と題する、２００１年１月１０日に提出された仮特許出願第６０／２６０，８２３号からの優先権を主張し、その開示を参照により援用する。
【０００３】
基準色が与えられて、迅速かつ正確にハーモナイズする色を決定することが望ましいであろう、多くの、現存しまた可能性のある商業用途が存在する。こうした商業用途の一例は建築装飾分野にある。通常、色ハーモナイゼーションの美学の、専門家、訓練を受けたかまたはその才能に恵まれている人が、調和のとれた装飾色を決定する手助けをするために雇われる。顧客が専門家の助けを借りずに、ハーモナイズする色を見つけるのに利用できるシステムを有することは有利であろうし、したがって、時間と金の両方が節約できる。
【０００４】
色ハーモナイゼーションの規則は、何世紀にもわたって美術の世界では知られており、Ｊｏｈａｎｎｅｓ Ｉｔｔｅｎによって公式化され、１９６１年にドイツで出版された彼の著書「Ｔｈｅ Ａｒｔ ｏｆ Ｃｏｌｏｒ」に含まれている。その時以来、これらの原理は、特に美術の世界で広く出版されてきた。２つの最近の例は、１９８７年に米国で初めて出版された、Ｈｉｄｅａｋｉ Ｃｈｉｊｉｉｗａによる「Ｃｏｌｏｒ Ｈａｒｍｏｎｙ」および１９９４年に米国で初めて出版された、Ｂｒｉｄｅ Ｍ．Ｗｈｅｌａｎによる「Ｃｏｌｏｒ Ｈａｒｍｏｎｙ ２」である。
【０００５】
基準色とハーモナイズする色を計算するためのコンピュータ自動化システムは既知である。こうしたシステムにおいて、色は一様な色空間内で表され、数学的計算が実行され、基準色に基づいてハーモナイズする色が選択される。こうしたシステムの例は、「Ｆｕｎｃｔｉｏｎａｌ Ｃｏｌｏｒ Ｓｅｌｅｃｔｉｏｎ Ｓｙｓｔｅｍ」と題する、１９９４年５月１０日に発行された米国特許第５，３１１，２１２号、「Ｍｅｔｈｏｄ ｆｏｒ Ｇｅｎｅｒａｔｉｎｇ Ｎｕｍｅｒｏｕｓ Ｃｏｌｏｒ Ｐａｌｅｔｔｅｓ ｆｒｏｍ Ｔｗｏ Ｃｏｌｏｒｓ」と題する、２０００年６月２７に発行された米国特許第６，０８１，２５３において説明されている。通常、基準色は、色ファンデック（ｆａｎｄｅｃｋ）から計測されるか、または選択される。全ての色が一様な色空間の中で指定および計算され、一様な色空間において、色は、明度、彩度および色相によって定義される。
【０００６】
【特許文献１】
米国特許第５，３１１，２１２号明細書
【特許文献２】
米国特許第６，０８１，２５３号明細書
【０００７】
残念ながら、ハーモナイズする色を数学的に計算する従来技術の試みは、基準色と真にハーモナイズする色を一貫して提案しない。実際、提案された色は、しばしばかなりしっくりしなく、確かにハーモナイズしていない。こうした状況は、色ハーモナイゼーション分野の技術者にとって、また消費者にとって明らかに受け入れがたい。
【０００８】
ハーモナイズする色の誤った提案は、「ブラウン」の場合に特に重大である。装飾産業が、ブラウンの多くの異なる濃淡（ｓｈａｄｅｓ）を含む土の色調（ｔｏｎｅｓ）を、より多く使用するにつれて、このことはますます問題となってきた。ブラウンに関する困難さは、人の色の知覚から生ずる。人はブラウンを個別ではっきりとした色相として見る。実際、ブラウンは、レッド、イエローおよびオレンジのような他の色相の色合いである。したがって、一様な色空間において、ブラウンにハーモナイズする色の計算は、しばしば人の目にしっくりしない提案を生ずる。
【０００９】
［発明の概要］
一様な色空間において、ハーモナイズする色を計算する時の基本的な困難さは、人の目の色相鋭度が一様でないことであることがわかった。こうした理由で、一様な色空間において計算された、ハーモナイズする色は、実際に全く人の目にはハーモナイズしないことが往々としてある。本発明の一部として、正確な色ハーモナイゼーションは、人の目の色相鋭度を良く近似する色空間において決定されなければならない、と考えた。こうした１つの色空間は美術家用色環である。
【００１０】
人の目の色相鋭度の非一様性は、図１に示すように、一様な空間における色相角度をゆがめる。人の色の知覚に基づく美術家用色環は、一様な色空間に比べて、色相間の異なった色相角度間隔を有する。たとえば、人の色相鋭度の角度は、グリーンにおいてよりもイエローおよびオレンジにおいて高い。結果として、美術家用色環上の色に対する色相角度は、ＣＩＥ色環上の同じ色に対する色相角度と異なる。美術家用色環において、イエローの反対の色相、すなわち直接の補色はバイオレットである。ＣＩＥ色相環において、イエローの反対の色相はブルーである。
【００１１】
この発見を適用すると、従来技術の方法の上述した問題は本発明において克服され、本発明において、１つまたは複数のハーモナイズする色は、（１）基準色を、第１の色空間から、人の色相鋭度に対する改善された対応を有する第２の色空間へ変換すること、（２）第２の色空間において１つまたは複数のハーモナイズする色を選択すること、および（３）ハーモナイズする色を第２の色空間から第１の色空間へ変換することによって選択される。
【００１２】
開示される実施形態において、第１の色空間はＣＩＥ  ＬａｂまたはＣＩＥ  Ｌｃｈ色空間であり、第２の色空間は美術家用色環である。多項式および／またはルックアップテーブルが２つの空間の間での変換を行なうのに使用される。
【００１３】
開示される実施形態において、さらに、システムおよび方法は、異なる色ハーモナイゼーション計画に基づいて多数の色ハーモナイゼーションの提案を与え、提案は消費者に表示される。したがって、消費者は、提案の１つまたは複数を選択することができる。
【００１４】
本発明の第２の態様において、ブラウンを含んだ、ハーモナイズする色を選択するために、特別な規則が採用される。上述したように、ブラウンは、実際にはイエロー、オレンジおよびいくらかのレッドである。これらの色相の彩度値が約４０以下になる時、人がブラウンとして知覚する色が得られる。４０未満の彩度を有するブルーの直接の補色はブラウンである。しかし、４０を超える彩度を有するブルーの直接の補色はオレンジである。実際、同じ色相のブラウンとオレンジは、両方ともブルーに対する、許容可能な調和（ｈａｒｍｏｎｙ）色である。逆に、４０を超える彩度を有するオレンジの補色を望む場合、同じ色相のブラウンは、許容可能な調和色であることを発見した。従来技術のシステムまたは方法はいずれもこのことを提案しない。
【００１５】
この第２の発見を適用すると、本発明の第２の実施形態において、色ハーモナイゼーションシステムおよび方法は、ブラウンを特別な方法で扱う。基準色または調和色のいずれかがブラウンの場合、システムは、同じ色相角度で非ブラウンを決定し、この非ブラウンを付加的なハーモナイズする色として提案するであろう。基準色または調和色のいずれかが、同じ色相角度で、対応するブラウンが存在する非ブラウンの場合、システムは、ブラウンを付加的なハーモナイズする色として提案するであろう。
【００１６】
本発明および方法はいくつかの利点を有する。第１に、新たな方法によって導出されたハーモナイズする色彩計画は、美術および装飾の世界における色彩計画に合う。このことによって、一様な色空間に関して色彩計画を決定した、従来のシステムについて起こる色不一致がなくなる。第２に、新たな方法は、ブラウンを特別な方法で扱い、利用できるハーモナイズする色の数を最大にする。
【００１７】
本発明のこれらのまた他の目的、利点および特徴は、好ましい実施形態の詳細な説明および図を参照することによって、より容易に理解されかつ認識されるであろう。
【００１８】
［好適な実施形態の説明］
本発明は好ましい実施形態に関して説明されるが、本発明をこれらの実施形態に限定する意図がないことが理解されるべきである。逆に、本目的は、併記の特許請求の範囲によって規定されるように、本発明の精神および範囲の内部となる、全ての変更形態、変形形態および等価物を網羅することである。
【００１９】
Ａ．色ハーモナイゼーションの理論
多くの理由で、装飾時に、多数の色を単一環境で使用するのが望ましい可能性がある。たとえば、３色、すなわちボディ色、トリム色およびアクセント色が内部装飾のために選択されるであろう。色を選択する時、人々は、通常、始めにボディ色を選択して、次に、色ハーモナイゼーション計画を使用して、調和のあるトリム色およびアクセント色を選択する。
【００２０】
いくつかの文献が基本的な色ハーモナイゼーション計画を定義してきた。最も一般的なものは、Ｗｕｃｉｕｓ Ｗｏｎｇ （１９９７）による「Ｐｒｉｎｃｉｐｌｅｓ ｏｆ Ｃｏｌｏｒ Ｄｅｓｉｇｎ」および上で触れた「Ｃｏｌｏｒ Ｈａｒｍｏｎｙ」と「Ｃｏｌｏｒ Ｈａｒｍｏｎｙ ２」である。これら文献は、以下の１０個の基本の色ハーモナイゼーション計画を開示している。
１．無彩計画−色なしで、ブラック、ホワイトおよびグレイの濃淡のみを使用する。
２．類似計画−任意の３つの連続した色相（３０度離れている）またはそのぼかし（ｔｉｎｔ）および濃淡を使用する。ハーモナイズする色は、基準色（Ｒ）＋３０度およびＲ−３０度である。
３．クラッシュ計画−色環上でその補色の右または左に３０度のところの色相と色を混合する。ハーモナイズする色は、Ｒ＋／−１５０度である。
４．相補計画−色環上で直接の反対色を使用する。ハーモナイズする色は、Ｒ＋１８０度である。
５．単色色彩計画−そのぼかしおよび陰影のいずれかまたは全てとともに１つの色相を使用する。
６．中性計画−その補色または黒を付加することによって減少するかまたは中性化した色相を使用する。ハーモナイズする色は、Ｒ＋１８０度である。
７．スプリット相補計画−色相とその補色の３０度のいずれかの側にある２つの色相とから成る。ハーモナイズする色は、Ｒ＋１５０度およびＲ−１５０度である。
８．第一計画−レッド、イエローおよびブルーの純粋な色相の組合せ。
９．第二計画−グリーン、バイオレットおよびオレンジの第二色相の組合せ。
１０．第三の三つ組み計画−第三の三つ組みは、２つの組合せ、（ａ）レッド／オレンジ、イエロー／グリーンおよびブルー／バイオレットまたは（ｂ）ブルー／グリーン、イエロー／オレンジおよびレッド／バイオレットのうちの１つである。
【００２１】
これらの色ハーモナイゼーション計画は、任意の美術家用色環とともに使用される。開示される実施形態において、本発明は、図４に示す、１２色美術家用色環とともに説明される。色ハーモナイゼーション計画のほとんどは、美術家用色環上で基準色に対して加算されるか、または減算される角度によって定義される。最後の３つの色彩計画（第一、第二および第三の三つ組み）は、同じ角度公式によって定義されているが、特定の始めの基準色が必要とされる。本システムおよび方法は、基準色として任意の色の使用を可能にするため、これら最後の３つの色ハーモナイゼーション計画は組み合わされて、三つ組み計画と呼ばれる。この計画は、色彩計画の全数を８に減らす。
【００２２】
単色色彩計画は、色環上で任意の色相の明度および彩度を変えるだけである。無彩計画は、技術的には色相を有しておらず、グレイの濃淡の間で明度および彩度を変える。したがって、どちらの計画も色相角度公式によって定義されることはできない。
【００２３】
Ｂ．ＣＩＥ色空間と美術家用色環の間の色相角度対応
概して、色システムは、色許容システムによって定義された一様な色空間によって色を定義する。これらの色空間および許容システムは、技術的な用途に適用するのが容易である。最も一般的な色空間は、ＣＩＥ  Ｌ＊ａ＊ｂおよびＣＩＥ  Ｌ＊ｃ＊ｈである。２つのシステムは、非常に似ており、Ｌ＊ａ＊ｂ空間は直交座標を使用し、Ｌ＊ｃ＊ｈ座標は円筒座標を使用する。色相は両方のシステムの平面において定義される。本開示の目的のために、ＣＩＥ  Ｌ＊ｃ＊ｈシステムに対してのみ参照が行なわれるであろう。
【００２４】
ＣＩＥ  Ｌ＊ｃ＊ｈ（Ｌｃｈ）システムは、明度（Ｌ）、彩度（ｃ）および色相（ｈ）によって色を定義する。色相は、レッド、イエロー、グリーンおよびブルーが９０度互いに離れている、平面において定義される。色の色相はその平面における角度である。多くの計算に適しており、実際に望ましいＬｃｈ空間は、一様である。
【００２５】
色相を定義する別の方法は、人の目の色の知覚に基づく、美術家用色環においてである。美術家用色環は、美術の分野では一般に認められており、図４に示される。環は、環のまわりに等間隔で配置され、それぞれが他の２つから１２０度である、レッド、イエローおよびブルーの色を含む。本開示の目的のために、レッドは環の上で０度として任意に選択される。図１で示されるように、美術家用色環上の色相角度は、通常、Ｌｃｈ色環上の色相角度とは異なっている。色相角度は、美術家用色環に関して、３０度と６０度の間の第１の色および２１０度と２４０度の間の第２の色に対してだけ同じである。
【００２６】
美術家用色環は一様でないが、人の目の色相鋭度に対するより良い対応を提供する。美術家用色環は、色相と彩度の２つ次元のみを有する色空間と考えることができる。美術家用色環は、Ｌｃｈ空間のような３次元色空間で見られる明度の第３の次元を含まない。美術家用色環以外の色空間は、第１の一様な色空間に比べて、人の目の色相鋭度に対するより良い対応を提供する限りにおいて、使用されるであろう。
【００２７】
２つの空間における同じハーモナイズする色彩計画を、同じ基準色に適用することによって、一般的に異なったハーモナイズする色が提案される。たとえば、色の直接の補色は、基準色から１８０度にある色である。Ｌｃｈ空間において、イエローの直接の補色はブルーである。しかし、美術家用色環上では、イエローの直接の補色はバイオレットである。
【００２８】
図１は、ＣＩＥ色環と美術家用色環の間の色相角度の差を示しており、実際の色を美術家用色環上で計測することによってこの差が経験的に決定されてきた。外側の環は美術家用色環上の色の色相角度を示す。内側の環はＣＩＥ色環上の同じ色の対応する色相角度を示す。図からわかるように、２つの環の上の色相角度は異なっている。美術家用色環上のレッドは０度に位置するが、ＣＩＥ環上の同じ色は２５度に位置する。
【００２９】
色ハーモナイゼーション計画は、美術および装飾の世界によって、したがって、美術家用色環に関して決定されたため、その計画は、ＣＩＥ色空間において適用されると、しばしば妙な組合せになる。たとえば、第３の色ハーモナイゼーション計画において、補色は基準色から１２０度のところに配置される。Ｌｃｈ色空間において、このことは、イエロー／グリーンがレッドの補色になる結果をもたらすであろう。
【００３０】
色ハーモナイゼーション計画が、美術家用色環に関してのみ適用できることがわかった。したがって、一様な色空間において定義された色に対して色ハーモナイゼーション計画を適切に適用するために、まず、色相角度を、美術家用色環上の対応する色相角度に変換することが必要である。ハーモナイズする色が美術家用色環上で決定された後、ハーモナイズする色が一様な色空間における対応する色相角度に変換して戻される。
【００３１】
色相角度変換は、Ｌｃｈ色相角度（ｈ）と美術家色相角度（Ｈ）の間の関係を定義する公式を導出することによって行なわれる。この公式は、図２に示すように、ｈ対Ｈのグラフをプロットすることによって見出される。「Ｈ」はｘ軸上にプロットされ、美術家用色環上の所定の色に対する色相角度である。「ｈ」はｙ軸上にプロットされ、Ｌｃｈ色環上の同じの色に対する色相角度である。したがって、グラフ上の点は、同じ色に対する、２つの色空間における２つの色相角度の交点を表す。
【００３２】
ｈとＨの間で変換するのに、２つの方法が使用できる。第１に、ルックアップテーブルがグラフから得られる可能性がある。このルックアップテーブルは、グラフ上の所望の点の全てに対して、対応しているｈおよびＨ値を示すことができる。別の方法は、図２のグラフの曲線を定義する公式を導出することである。これは当技術分野で既知の一般的な数学的処理によって行なわれる。基準色に対して無制限の可能性を提供するために、この方法は好ましい。ｈをＨに変換するための、またＨをｈに変換するための、以下の式は、グラフで説明した、経験的に導出されたデータから導出された。
（１）Ｈ＝ａ＋ｂｈ＋ｃｈ２＋ｄｈ３＋ｅｈ４
ここで、ａ＝−７２．６４４４２１６６８７
ｂ＝２．２３９９８４８３７１
ｃ＝−０．０１５５８７７６９２
ｄ＝０．００００３９８９１６
ｅ＝−０．０００００００３６
である。
（２）ｈ＝ｆ＋ｇＨ＋ｊＨ２＋ｋＨ３＋ｍＨ４
ここで、ｆ＝２５．２７２４３５８９７４
ｇ＝０．５０７５５２８２５２
ｊ＝−０．００２６７１００７７
ｋ＝０．００００３１１６８４
ｍ＝−０．０００００００５６
である。
【００３３】
Ｃ．ブラウンの特別な扱い
ブラウンは、個別の色相ではなくて、むしろレッド、イエローおよびオレンジの色相における低彩度の色である。ブラウンはそれ自身の色相ではないため、またさらにブラウンの陰影が全ての色相では存在しないため、ブラウンは本発明のシステムおよび方法において特別に扱われる。
【００３４】
本発明に対して、美術家用色環上のブラウン領域は、レッド／イエロー領域において低彩度の色を調べ、主観的に「ブラウン」と呼ぶことができるであろうものを識別することによって定義される。これらの色サンプルに基づいて、サンプルの大多数が該当する色環上の領域が識別される。この方法によって定義されたブラウン領域の例は、図３に示される。このブラウン領域は、３０〜１２０の間の色相角度（Ｈ）および４〜４０の間の彩度値（ｃ）を含む。したがって、３０および１２０の色相角度は、ブラウン色相角度境界と考えられ、また４および４０の彩度値は、ブラウン彩度値境界であると考えられる。ブラウン領域を定義することは主観的であるため、他の色相および／または彩度値が、ブラウン領域の定義として選択されることができる。
【００３５】
ブラウンが色ハーモナイゼーション計画において特別な扱いを受けるべき、４つの状況が識別された。４つの状況全ては、基準色または調和色（ｈａｒｍｏｎｉｚａｔｉｏｎ  ｃｏｌｏｒ）のいずれかがブラウン領域内にあるという共通点がある。特別に扱わない場合、これらの状況の全ては、利用できるハーモナイズする色の全てより少なく識別するであろう。使用される方法は任意の色ハーモナイゼーション計画に適用できるが、これらの状況は、基準色の直接の補色を見つけることに関して議論されるであろう。
【００３６】
第１の状況は、ブラウンが基準色である場合である。典型的なブラウンの直接の補色を見つけようとする時、たとえば、７０のＨ値および２０のｃ値について、特別な扱いなしで、ただ１つの色が計算されるであろう。これは、２５０のＨ’値および２０のｃ値を有するオレンジ／イエローであろう。しかし、提案されないが、ハーモナイズする色に対する別の可能性が存在する。これは、７０のＨ’値および４０を超えるｃ値を有するブルー／グリーンである。したがって、システムはさらに、ハーモナイズする色として、色相がブラウンと同じである色（ａ）および彩度値が５５である色（ｂ）を識別する。彩度は非ブラウン領域において任意の値であってよいため、任意に５５が選択された。任意の他の非ブラウン彩度値が使用されてもよい。この付加的なハーモナイズする色は、２次補色と呼ばれる。
【００３７】
第２の状況は、ブラウンがハーモナイズする色である場合である。基準色がブルー／グリーンで、たとえば、２２５のＨ値を有し、４〜４０の間のｃ値を有する場合、直接の補色は、４５のＨ’値および同じｃ値を有するブラウンであろう。４５のＨ’値を有する非ブラウンは、２次補色であるが、特別な扱いなしでは提案されないであろう。したがって、システムは、４５のＨ’値および５５のｃ値を有するこの追加の補色を識別する。以前のように、ｃ値は任意に選択されるため、非ブラウン領域内の他のｃ値であってもよい。
【００３８】
第３の状況は、基準色の補色が３０〜１２０の間のＨ’値を有する非ブラウンである場合である。たとえば、基準色が２４０のＨ値および６０のｃ値を有するブルーである場合、補色は、６０のＨ’値および６０のｃ値を有するオレンジであろう。特別な扱いなしでは提案されないであろう２次補色は、同じ色相であるが、ブラウン領域内にある。この２次補色は、６０のＨ’値および２５のｃ値を有するシステムによって識別される。再び、ｃ値はブラウン領域内にあるように任意に選択されており、他のｃ値が望まれるように選択されてもよい。
【００３９】
第４の状況は、基準色がブラウン領域内の色相を有する非ブラウンである場合である。たとえば、基準色が６０のＨ値および６０のｃ値を有するオレンジである場合、補色は、２４０のＨ’値および６０のｃ値を有するブルーである。２次補色は、同じ色相角度でブラウン領域内にある。したがって、システムは、２次補色として、６０のＨ’値および２５のｃ値を有する色を識別する。再び、ｃ値はブラウン領域内にあるように選択されており、他のｃ値が使用されてもよい。
【００４０】
上述したブラウンの例の全てにおいて、色相値および彩度値は、経験的に導出されたデータおよび主観的な決定に基づいて提案されることを再度指摘しておく。他の値は、ブラウン領域を定義する時かつ／またはブラウン領域の内部および外部で適当なハーモナイズする色を提案する時に適当であってよい。
【００４１】
Ｄ．色ハーモナイゼーションシステムおよび方法
色ハーモナイゼーションシステムおよび方法ではまず、ユーザが基準色を選択する必要がある。このことは通常２つの方法のうちの１つで行なわれる。第１の方法では、壁紙、布地または実際上、一致させる任意の他の材料のサンプルから色が計測される。第２の方法では、入力手段を用いて、しばしば色ファンデック、色スウォッチブックまたは色パレットと呼ばれる、格納された色ライブラリから色が選択される。しばしば、２つの手法は組み合わされ、システムは、色を計測し、計測した色に最も良く一致する色を色ライブラリから提案する。この場合、顧客は基準色として推奨された色のうちの１つを選択する。色選択手法の全てにおいて、色は、Ｌｃｈ色空間のような一様な色空間で定義されており、その理由は、全ての色計測およびマッチングシステムがこれらの、定義され、認められた色空間を利用するためである。
【００４２】
その後、基準色のＬｃｈ色相は、上述した変換公式またはルックアップテーブルのような別の適当な手法を用いて、美術家用色環の色相に変換される。その後、システムは、上述した手法の全てに対してハーモナイズする色の全てを計算し、また、それが適当であれば、ブラウンに対する付加的なハーモナイズする色も計算する。その後、ハーモナイズする色の色相の全てが、モニターまたは他の出力装置上への表示のために、Ｌｃｈ色相に変換される。ハーモナイズする色の全ては、ブラウンが適用できない場合には図８に示すように、ブラウンが適用できる場合には図９に示すように、ユーザに対して表示される。
【００４３】
任意選択として、ユーザは、（ａ）１つまたは複数のハーモナイズする計画を、計算される、かつ／またはユーザに対して表示されるように選択すること、または（ｂ）１つまたは複数のハーモナイズする計画を、計算されない、かつ／または表示されないように解除することが許される。計画の選択／解除は、ハーモナイズする色が表示される前か後のいずれかで行なうことができる。計画の選択／解除が表示の前に行なわれる場合、選択された計画（単数または複数）のみが表示される。計画の選択／解除が表示の後に行なわれる場合、選択されなかった、かつ／または解除された計画がディスプレイから除去される。
【００４４】
ユーザは、上で識別され、モニター上に表示された８つの色ハーモナイゼーション計画から、すなわち、ユーザによって選択されたこの少数の計画から、所望のハーモナイズする色を選択する。
【００４５】
色ハーモナイゼーションシステムの基本ステップは図５に示される。スタート（ステップ１０）の後に、ユーザは基準色を選択する（ステップ１２）。選択された色はＬｃｈ色空間で定義される（ステップ１４）。次に、基準色に対するｈ値がＨ値に変換される（ステップ１６）。次に、色ハーモナイゼーション計画が基準色に適用され、調和色（ｈａｒｍｏｎｙ  ｃｏｌｏｒｓ）のリストが生成される（ステップ２０）。ハーモナイズする色のＨ値はｈ値に変換され、表示される（ステップ２２）。次に、ユーザは、提案された調和色から所望の調和色を選択する（ステップ２４）。次に、システムの色ハーモナイゼーション部（ｐｏｒｔｉｏｎ）が終了する（ステップ２６）。
【００４６】
後続のステップは、基準色およびハーモナイズする色に対応する情報を印刷することを含んでもよい。こうした情報は、各色に対して、色名称、その色を含む、物理的な製造業者の色ストリップの識別、色コード、色配合情報および／またはその色自体の演色（ｒｅｎｄｉｔｉｏｎ）を含むことができる。別法として、システムは、配合／混合システムに対して直接に配合情報を出力できる。
【００４７】
本発明の開示を目的として、色ハーモナイゼーション法が塗料マッチングおよび／または塗料混合システム３０（図６）とともに使用される。分光側色計のような入力装置３１が使用されて、塗料チップ、布地サンプルまたは他の装飾材料から独自の色が計測される。このことによって、ユーザは、特定のニーズに合う色ハーモナイゼーション計画を特注できる。たとえば、ユーザが部屋の色彩計画を特定の一点の家具に合わせたいと思う場合、独自色を入力するために、その一点の家具からの布地サンプルが使用できる。この手法は、塗料マッチング分野では一般的である。
【００４８】
コンピュータのような装置３２が使用され、上述したように、所定の基準色に対するハーモナイズする色が計算される。記憶手段３２はグラフィカルユーザインタフェース（ＧＵＩ）３３に接続される。ＧＵＩ３３によって、ユーザは、独自色が使用されるか、または、色が記憶手段３２に記憶された色の配列から選択されるかを選択できる。ＧＵＩ３３によって、ユーザはさらに、１つまたは複数の色ハーモナイゼーション計画を選択または解除し、ハーモナイズする色を選択できる。通常、ユーザは、たとえば、トリム色および／またはアクセント色として使用されることができる、１つまたは２つのいずれかのハーモナイズする色を選択するであろう。さらに、ＧＵＩ３３は、コンピュータの推薦の変更または微調によってユーザが実験できるように、選択された色のＬ、ｃおよびｈ値を調整する機会をユーザに提供する。当技術分野ではやはり通例であるが、ＧＵＩ３３を通してユーザによって行なわれる全ての選択は、装置３２内の顧客データベースに記憶されることができる。
【００４９】
ハーモナイズする色を選択した後、ユーザはさらに、部屋の内部または家の外部の演色に色が適用されるようにすることができる。ＧＵＩ３３によって、ユーザが、色を家の内部または外部のいずれに適用するかを選択できることが好ましい。ユーザが色を建物の内部に適用するように選択する場合、一般的な装飾原理に従って部屋を塗装するのに使用される、ボディ、トリムおよびアクセント色を有するＧＵＩ３３によって部屋が表示される。ユーザが色を建物の外部に適用するように選択する場合、一般的な装飾原理に従って外部に適用される色を有するＧＵＩ３３によって家が表示される。
【００５０】
図７は、図６に示したシステム上に実装されたハーモナイズする色方法を示す。スタートステップ（ステップ５０）後、ユーザは基準色を入力する（ステップ５２）。ユーザは、基準色を入力するための方法に対していくつかの選択を与えられる。特に、方法は、（たとえば、システムと一体となった分光側色計を用いて）色を計測すること（ステップ５４）、ファンデックから色を選択すること（ステップ５６）、記憶された独自色を検索すること（ステップ５８）、またはユーザ装置（たとえば、パーム装置のような個人情報端末（ＰＤＡ））から色を入力すること（ステップ６０）を含む。
【００５１】
図７には示されていないが、上述されたように、ユーザは、色ハーモナイゼーション計画のリストから１つまたは複数の色ハーモナイゼーション計画を選択かつ／または解除することができる。基準色は、Ｌｃｈ座標から美術家用色環上の座標へ変換される。基準色に対するハーモナイズする色は、上述した方法を用いて、美術家用色環に基づいて決定される（ステップ６２）。選択されているかまたは解除されていない場合、以下の計画、すなわち、無彩（ステップ６４）、単色（ステップ６６）、相補（ステップ６８）、近い近傍（ステップ７０）および／または遠い近傍（ステップ７２）が決定される。全ての計算された色彩計画からのハーモナイズする色は、美術家用色環上の座標からＬｃｈ座標へ変換される。任意選択ステップとして、各ハーモナイズする色は、Ｌｃｈ座標に基づく色ライブラリと色マッチングさせられる。次に、ハーモナイズする色は、（ライブラリの色にマッチングしても、しなくても）ＧＵＩ上に表示される（ステップ７４）。各色の表示（図８および９を参照されたい）は、色の演色、色ハーモナイゼーション計画、色の製造業者名およびその色が見出される製造業者の色ストリップの１つまたは複数を含む。
【００５２】
次に、ユーザは、表示された色の任意のものを明るくするかまたは暗くするか（すなわち、色相および彩度を調整）の任意選択（ステップ７２）を与えられて、ユーザがより満足するように実験を行なう（ステップ７８）。ユーザが選択された色で満足した時（ステップ８０）、ユーザは表示された色を選択する（ステップ８２）。選択された色は、ユーザの記録とともにシステムに記憶される。色が色ライブラリにマッチングしていた場合、選択された色に関する情報は、ユーザのため、かつ／または店員のために印刷される。色が色ライブラリにマッチングしなかった場合、塗料配合情報が印刷出力される、かつ／または標準的な塗料配合／混合機に直接送られる。
【００５３】
開示されたシステムおよび方法は、本発明の原理に従って実施されるであろう、無制限の種類のタイプおよび構成の方法を例示するに過ぎない。たとえば、本発明は、建築用塗料のマッチングおよびハーモナイゼーションシステムに関連して説明された。しかし、本発明は、建築以外の塗料と仕上げ剤および印刷用インキのようなハーモナイズする色が望まれる任意の状況に適用できる。
【００５４】
上述した説明は、本発明の好ましい実施形態の説明である。均等論を含む特許法の原理に従って解釈されるべき、併記の特許請求の範囲に述べられているように、本発明の精神およびより広い態様から逸脱することなく、種々の修正および変更がなされることができる。
【図面の簡単な説明】
【図１】美術家用色環の色相角度とＣＩＥ色環の色相角度の間で定義された、経験的に導出された対応を示す図である。
【図２】美術家用色環の色相角度を水平軸上に、ＣＩＥ色相角度を垂直軸上にして、図１で示した対応のグラフを示す図である。
【図３】美術家用色環上で定義されたブラウン領域を説明する図である。
【図４】１２色美術家用色環である。
【図５】全体の色ハーモナイゼーション処理を説明するフローチャートである。
【図６】色ハーモナイゼーションシステムの構成要素のブロック図である。
【図７】色ハーモナイゼーション処理を詳細に説明するフローチャートである。
【図８】基準色およびハーモナイズする色の表示を示すグラフィカルユーザインタフェースである。
【図９】色の１つがブラウンである、基準色およびハーモナイズする色の表示を示すグラフィカルユーザインタフェースである。
【図１】
2005503594.tif 000003
【図２】
2005503594.tif 000004
【図３】
2005503594.tif 000005
【図４】
2005503594.tif 000006
【図５】
2005503594.tif 000007
【図６】
2005503594.tif 000008
【図７】
2005503594.tif 000009
【図８】
2005503594.tif 000010
【図９】
2005503594.tif 000011
【国際公開パンフレット】
2005503594.tif 000012
2005503594.tif 000013
2005503594.tif 000014
2005503594.tif 000015
2005503594.tif 000016
2005503594.tif 000017
2005503594.tif 000018
2005503594.tif 000019
2005503594.tif 000020
2005503594.tif 000021
2005503594.tif 000022
2005503594.tif 000023
2005503594.tif 000024
2005503594.tif 000025
2005503594.tif 000026
2005503594.tif 000027
2005503594.tif 000028
2005503594.tif 000029
2005503594.tif 000030
2005503594.tif 000031
2005503594.tif 000032
2005503594.tif 000033
2005503594.tif 000034
2005503594.tif 000035
2005503594.tif 000036
2005503594.tif 000037
2005503594.tif 000038
2005503594.tif 000039
2005503594.tif 000040
2005503594.tif 000041
2005503594.tif 000042
2005503594.tif 000043
2005503594.tif 000044
2005503594.tif 000045
2005503594.tif 000046
2005503594.tif 000047
【国際公開パンフレット（コレクトバージョン）】
2005503594.tif 000048
【国際調査報告】
2005503594.tif 000049
2005503594.tif 000050
2005503594.tif 000051
2005503594.tif 000052
2005503594.tif 000053